(57)【要約】  【課題】  高齢者や子供でも容易に組立ができ、壁材と壁材の間に隙間等ができずに避難生活を行えるスペースの設置ができる段ボール間仕切り又は上記間仕切りと床材のセットを提供する。  【解決手段】  段ボール間仕切りは壁部１ａ及び１ｂを有し、壁部１ａの下部には底板部２を有し、壁部１ｂの下部には立設部３を有している。また、壁部１ａの側部には隣の段ボール間仕切りと連接するための接合部４を有している。そして上記の各部を折り曲げて嵌合させることにより１枚の段ボール板から立設する段ボール間仕切りが容易に組立られる。また、段ボール間仕切りの幅と同一寸法の正方形の床材又は対向する１辺は同一寸法で他辺は整数倍の寸法とされたシート状床材それぞれを所定枚数づつのセットとして提供する。【選択図】    図１
2010255238.tif 000002
【特許請求の範囲】
【請求項１】
避難所において避難者が避難生活をするためのスペースを仕切る間仕切りであって、
壁部材は段ボールを使用し、上記壁部材は１枚の段ボール板で構成されており、
複数の箇所に折り曲げ可能な部位を有し、内側になる壁部と外側になる壁部を有し、上記壁部の境界線で折り曲げることによって側面視で略逆Ｖ字型の壁部を構成でき、
内側または外側になる壁部の一方の側部に接合部を有している
ことを特徴とする段ボール間仕切り。
【請求項２】
上記接合部に接合片を有し、側面視で略逆Ｖ字型の壁部を構成した壁部の上記境界線に隣接させる段ボール間仕切りの上記接合片が嵌合する接続穴を有することを特徴とする請求項１記載の段ボール間仕切り。
【請求項３】
内側になる壁部の下方には底板部を有し、上記底板部の幅方向の１端には係止片を有し、もう一方の端部には嵌合部を有することにより、平面視において９０゜曲がった状態に隣接する段ボール間仕切りを設置する際に上記係止片と上記嵌合部を嵌合させることを特徴とする請求項１又は請求項２記載の段ボール間仕切り。
【請求項４】
外側になる壁部の下方には立設部を有し、立設部を内側となる壁部の下方に設けられた嵌合穴に嵌合させることにより、上記側面視で略逆Ｖ字型の壁部を保持することを特徴とする請求項１乃至請求項３のいずれかに記載の段ボール間仕切り。
【請求項５】
請求項１乃至請求項４のいずれかに記載の段ボール間仕切りを複数設置し、
１辺が上記壁部材と同一の寸法とされた正方形の床材、
又は、対向する１辺が上記壁部材と同一の寸法であって、もう１方の対向する１辺は上記壁部材の幅寸法の整数倍となった長方形の床材
のいずれかを上記段ボール間仕切りで囲った内部のスペースへ敷き込むことにより、避難スペースを構成する
ことを特徴とする段ボール間仕切り及び床材セット。
【請求項６】
段ボール間仕切りと床材のそれぞれ所定枚数を避難スペースの１ユニットとして袋状物に段ボール間仕切りと床材を別々に梱包、或いは、段ボール間仕切りと床材を同梱されたことを特徴とする請求項５記載の段ボール間仕切り及び床材セット。
【発明の詳細な説明】
【技術分野】
【０００１】
本発明は、災害により学校の体育館や自治体等の公民館において避難生活をしなければならなくなった際に使用する段ボール間仕切り、また、段ボール間仕切りと床材のセットに関するものである。
【背景技術】
【０００２】
阪神・淡路大震災、新潟県中越地震等の災害が近年頻繁に発生している。また、火山活動やゲリラ豪雨によっても避難所生活を強いられるということが発生してもいる。
避難所生活においては、学校の体育館や自治体等の公民館が避難所として用いられており、プライバシー保護が十分に確保できず、被災者にさらに負担がかかることになっていた。
【０００３】
そのために、１つの種類で多数の連結形状に適応する簡易間仕切りセットが提案されてもいる。（例えば特許文献１）そして、この特許文献１においては、１つの種類で多数の連結形状に適応して、長期保管にも適した板状体連結具と、それを用いた簡易間仕切りセットの提供について開示がなされている。
【０００４】
また、材料供給者により回収されることで廃棄物とならず再資源材料としてマテリアルリサイクルが可能で廃棄物の処理の負担を増大させることのない仕切構造体の提案もなされている。（例えば特許文献２）特許文献２においては、仕切構造体に押出法ポリスチレンフォームを使用して、床部と壁部に使用し、止着部材としてハイインパクトポリスチレン系樹脂製のスクリューネジを使って止着することが開示されている。そしてまたポリスチレンフォームの縦横比が１：２又は１：１の同一形状の板材であることも開示されている。
【０００５】
また、段ボール製の組立間仕切りなどの提案もなされている。（例えば特許文献３）特許文献３においては、表裏一対のパネル面と上下一対のこぐち面と左右一対のこぐち面を有する６面構成の箱体である間仕切りの構成が開示されている。そして、いずれか一対のこぐち面が開閉自在とされて、一対のこぐち面を開いて可逆的に押し潰し変形させ、箱体としての厚みを消失させて多数枚を積み重ねて備蓄することが開示されている。
【先行技術文献】
【特許文献】
【０００６】
【特許文献１】特開２００９−２４３５３号公報
【特許文献２】特開２００６−２４１８８６号公報
【特許文献３】特開２００６−１６１５２３号公報
【発明の開示】
【発明が解決しようとする課題】
【０００７】
特許文献１の発明においては、１つの種類で多数の連結形状に適応して、長期保管にも適した板状体連結具が提案されてはいるものの、簡易間仕切りとして使用する板状体は木質繊維板からなるもので、タタミボード、インシュレーションボード、ＭＤＦ、ハードボード等が挙げられている。これらの材料は、１枚の重さもかなりの重量があるものであり、高齢者にとってはかなりの重量物で、避難所において容易に組み立てるという取り扱いは難しいものである。また、板状体連結具を使用するため、固定後はある程度の強度が保持されるとはいえ、これも高齢者が簡単に組立できるものではない。
【０００８】
特許文献２の発明においては、壁や床を構成する素材に軽量な素材が選定されてはいるものの、止着についてはスクリューネジを使用するということで、高齢者や子供等にも手軽に組立できるものではない。
【０００９】
特許文献３の発明においては、間仕切りの組立は段ボールで軽くて行い易いものの、両面テープを使用して貼り付けて固定するには隣の間仕切りとの直線性を保って固定することが難しい。また、面ファスナを使っている場合においては、面ファスナは間仕切りの上部と下部のこぐちの一部分だけであり、固定した際には面ファスナが設けられていない部分にスキマができてしまい、隣又は外部から内部が見えてしまうという課題があった。
【課題を解決するための手段】
【００１０】
本発明の請求項１は、避難所において避難者が避難生活をするためのスペースを仕切る間仕切りであって、壁部材は段ボールを使用し、上記壁部材は１枚の段ボール板で構成されており、複数の箇所に折り曲げ可能な部位を有し、内側になる壁部と外側になる壁部を有し、上記壁部の境界線で折り曲げることによって側面視で略逆Ｖ字型の壁部を構成でき、内側または外側になる壁部の一方の側部に接合部を有していることを特徴とする段ボール間仕切りとしている。
【００１１】
また、請求項２においては、上記接合部に接合片を有し、側面視で略逆Ｖ字型の壁部を構成した壁部の上記境界線に隣接させる段ボール間仕切りの上記接合片が嵌合する接続穴を有することを特徴としている。
【００１２】
また、請求項３においては、内側になる壁部の下方には底板部を有し、上記底板部の幅方向の１端には係止片を有し、もう一方の端部には嵌合部を有することにより、平面視において９０゜曲がった状態に隣接する段ボール間仕切りを設置する際に上記係止片と上記嵌合部を嵌合させることを特徴としている。
【００１３】
また、請求項４においては、外側になる壁部の下方には立設部を有し、立設部を内側となる壁部の下方に設けられた嵌合穴に嵌合させることにより、上記側面視で略逆Ｖ字型の壁部を保持することを特徴とする請求項１乃至請求項３のいずれかに記載の段ボール間仕切りとしている。
【００１４】
また、請求項５においては、請求項１乃至請求項４のいずれかに記載の段ボール間仕切りを複数設置し、１辺が上記壁部材と同一の寸法とされた正方形の床材、又は、対向する１辺が上記壁部材と同一の寸法であって、もう１方の対向する１辺は上記壁部材の幅寸法の整数倍となった長方形の床材のいずれかを上記段ボール間仕切りで囲った内部のスペースへ敷き込むことにより、避難スペースを構成することを特徴とする段ボール間仕切り及び床材セットとしている。
【００１５】
また、請求項６においては、段ボール間仕切りと床材のそれぞれ所定枚数を避難スペースの１ユニットとして袋状物に段ボール間仕切りと床材を別々に梱包、或いは、段ボール間仕切りと床材を同梱されたことを特徴とする請求項５記載の段ボール間仕切り及び床材セットとしている。
【発明の効果】
【００１６】
上記の発明により、避難スペースを囲う段ボール間仕切りは、１枚の段ボール板を折り曲げて組み立てるだけで良く、他の固定用の部材等を使用することなく、段ボール間仕切りを接合部を隣接する段ボール間仕切りの壁部間に挿入することにより壁にスキマの無い状態で囲みを設置することができる。
【００１７】
素材は段ボールだけであり、重量も軽く、高齢者や子供でも組立が可能で重苦しい雰囲気の避難所においての作業を軽減できるものが提供できる。
【００１８】
また、内側になる壁部の下方には底板部を有し、上記底板部の幅方向の１端には係止片を有し、もう一方の端部には嵌合部を有することにより段ボール間仕切りを９０゜に曲がった状態に設置する場合に、底板部分で嵌合させることにより９０゜に保持された状態で段ボール間仕切りを設置できるため、段ボール間仕切りを設置し終わってから、床材を敷き込む際にずれたりすることがなく、設置や敷き込みが容易である。
【００１９】
また、外側になる壁部の下方には立設部を有し、立設部を内側となる壁部の下方に設けられた嵌合穴に嵌合させる構成においては、段ボール間仕切り１つを組み立てた状態で、その段ボール間仕切りが単独で組み立てた状態で立設した形が保持されるため、隣接する段ボール間仕切りと連接している最中に組立が崩れたりすることがなく、また作業中に手を離しても立設状態のままとなるので壁の囲みの設置作業が非常に容易となる。
【００２０】
また、段ボール間仕切りの幅寸法と同一の寸法とされた正方形の床材又は対向する１辺が上記壁部材と同一の寸法であって、もう１方の対向する１辺は上記壁部材の幅寸法の整数倍となった長方形の床材を使用する場合においては、床材の枚数と段ボール間仕切りの枚数を適宜増加させると設置するスペースの大きさを任意に変更することができ、避難者の家族が多い場合には大きなスペースとして設置することも可能となる。同じ段ボール間仕切りを複数使用することで枚数の調整によって任意にスペースの変更を行い得ることも非常に効果があることである。
【００２１】
そして、またそれらの段ボール間仕切りと床材のそれぞれ所定枚数を避難スペースの１ユニットとして袋状物に同梱又は段ボール間仕切りと床材を別々に梱包したセットとしておくと、災害時に配布することも容易であり、避難者が避難スペースをすぐに設置することができ、プライバシーの保護も保たれるのである。
【発明を実施するための最良の形態】
【００２２】
本発明の実施形態の段ボール間仕切りについて説明する。図１及び図２に示すように本発明の段ボール間仕切り１は、壁部１ａ及び１ｂを有しており、この壁部１ａ及び１ｂの折り曲げ位置において幅方向の端部から所定の距離分だけ壁部の内側方向へ接続穴１ｃ，１ｃを設けている。そして、壁部１ａの下部には底板部２を有し、壁部１ａと底板部２の折り線に当接するように壁部１ａには嵌合穴１ｄ，１ｄが設けられている。
【００２３】
底板部２の幅方向の一端には係止片２ａ、もう一方の一端には、係止片２ａが嵌合する嵌合部２ｂが設けられており、壁部１ｂの下部には立設部３を有し、立設部３には接合片３ａ，３ａが設けられている。そして壁部１ａの向かって左側には接合部４を有し（図１参照）、接合部４の上部には接合片４ａを設けている。
【００２４】
上記の段ボール間仕切り１を図１のように組立て、複数を連結して避難者の居住スペースを設けるのである。
【００２５】
図２に示す段ボール間仕切りの展開した状態の点線位置には段ボールの折り目を設けており、壁部１ａ及び１ｂの間の折り目と壁部１ｂと立設部３の間の折り目は図面上において山折り方向に折り曲げる。壁部１ａと底板部２の間の折り目は谷折り方向に折り曲げるのである。壁部１ａ及び１ｂを図１の状態に折り曲げながら、立設部３を山折りに折り曲げて接合片３ａを嵌合穴１ｄに嵌合させる。
【００２６】
次に図３に示すように、組立された段ボール間仕切り１を複数連接することについて説明する。段ボール間仕切り１を直線に複数連接する場合は、接合部４を隣の段ボール間仕切り１の壁部１ａ及び１ｂの間に挿入し、接合部４の接合片４ａを接続穴１ｃに嵌合させて、接合片４ａによって接合部４が、隣の段ボール間仕切り１の壁部１ａ及び１ｂの間から外れないようにするのである。
【００２７】
壁部１ａと接合部４間に設けた折り目から接合片４ａの立ち上がりまでの寸法が丁度、壁部１ａ及び１ｂの端部から接続穴１ｃまでの距離に設定しているので、段ボール間仕切り１を接合した時に接合片４ａが接続穴１ｃから外れないよう連接することができるのである。上記のように連接することにより、段ボール間仕切り１を所望する枚数だけ直線的に連接することが可能である。そして、接合部４が隣の段ボール間仕切り１の壁部１ａ及び１ｂ間に挿入されているために、段ボール間仕切り間においてはスキマが発生することはなく、スキマから内部が見えてしまうようなことは完全に防止することができる。
【００２８】
次に、段ボール間仕切り１を直角に曲がった状態に連接することについて説明する。接合部４を隣の段ボール間仕切り１の壁部１ａ及び１ｂに挿入して接合片４ａを接続穴１ｃに嵌合させることは上記と同じであるが、その前に接合部４を折り目にそって曲げた状態にしておく。そして接合部４を隣の段ボール間仕切り１の壁部１ａ及び１ｂ間に挿入するとともに、図３及び図４に示すように、左側の段ボール間仕切り１の底板部２の係止片２ａを右側の段ボール間仕切り１の底板部２の嵌合部２ｂに嵌合させる。このように接合部４の嵌合と底板部２の嵌合によって９０゜になった状態での連接ができる。
【００２９】
底板部２の係止片２ａは底板部２から離れた位置になるほど接合片の幅が広くなっており、嵌合部２ｂは係止片２ａがきっちりと嵌合する形状となっている。そのため、段ボール間仕切り１を９０゜に連接した場合には、係止片２ａと嵌合部２ｂが横方向に外れにくい形状となっており、段ボール間仕切り１がずれたりしないようになっている。
【００３０】
立設部３に設けられた接合片３ａは図４のように底板部２の上に載置された状態で壁部１ａとの嵌合がなされている。接合片３ａと嵌合する嵌合穴１ｄは図５に示すように略逆凸のような形状の穴となっており、壁部１ａと底板部２の間の折り目に接するように配置された側が幅が狭くなっており、その上側（図５参照）の穴部が幅が広くなっている。
【００３１】
この幅が広くなっている部分が、接合片３ａが丁度通過できる寸法に設定されており、接合片３ａは立設部３側において幅が狭くなっており、狭くなっている接合片３ａの部分が嵌合穴１ｄの幅の狭くなったところに丁度嵌合する寸法になっている。
【００３２】
このため、接合片３ａをまず嵌合穴１ｄの上部で通して、段ボール間仕切り１を立てるようにし、接合片３ａを底板部２に合わせるようにすると図４の状態となり、嵌合状態が保持される形状になっているのである。
【００３３】
以上のように段ボール間仕切り１を複数連接し、任意のスペースの囲いを段ボール間仕切り１で作り、そのスペースへ床材を敷き込むのである。敷き込む床材で押さえて段ボール間仕切り１がずれたりしないようにするために、底板部２と接合片３ａはある程度の面積を有する形状としている。そして、底板部２については、段ボール間仕切り１を９０゜に曲がった状態に連接したときに嵌合させることもあり、その嵌合部である係止片２ａと嵌合部２ｂがすぐに破損してしまわない程度の大きさを持たせてもいる。
【００３４】
また、接合片３ａは係止片２ａのような台形の形状としても良い。そしてさらに、台形の形状とした場合には、立設部３に一体となっている部分から段ボールの厚み分は段ボール間仕切りの幅方向に直行する方向に直線に延出させて、その延出させた端部から係止片２ａのように広がるような形状として、図２に示した接合片３ａの幅が狭くなった嵌合部と同様の嵌合部を設けておいても良いのである。そしてまた、接合片４ａも上記同様の形状にしても良く、また図２に示した接合片３ａのような形状としても良い。
【００３５】
図６は、床材１０とセットとした実施形態の説明である。１辺が段ボール間仕切り１の幅と同じ寸法に設定された正方形で、１辺の寸法が８８０mmの床材１０であり、床材１０は表面を畳表で覆って薄畳としている例である。この実施形態の場合出入り口となる部分の接合部４（図６中１箇所だけ符号をつけた接合部４）は、二点鎖線で示したように、段ボール間仕切り１の壁部１ａと壁部１ｂの間に折り込んでおく。そして接合片４ａを、接続穴１ｃに嵌合させておく。
【００３６】
図６の例では、段ボール間仕切り１を７枚、床材１０である薄畳を４枚を１セットとしている。この１セットを図示していないケースに入れて畳２畳分が１区画として、避難所に備蓄しておくことができる。
【００３７】
ケースに入れる際には、段ボール間仕切り１は、壁部１ａ及び１ｂの間で折りたたんだ状態としておけば、床材１０の薄畳よりも接合部４がおよそ２０〜３０センチ程度大きくなる程度となるため、備蓄スペースも場所を取らない状態とすることができる。また更に、接合４も折りたたむと底板部２及び立設部３の分だけ大きい状態に折りたたむことができるので備蓄スペースは場所を取らない状態となる。
【００３８】
また、段ボール間仕切り１を７枚、床材１０である薄畳を４枚程度であれば、床材１０を軽量な素材を使用して、１０〜１５ミリ程度の厚みとしておくと高齢者２名くらいで１セット分を簡単に運搬できる程度の重量にしかならないので、避難所において、備蓄スペースで必要な分を渡せば、避難者自身が任意の場所まで運び容易に避難スペースを設置することができるのである。
【００３９】
また、上記の他に床材１０と段ボール間仕切り１の枚数の枚数の１セットの組合せ枚数は、図７（ａ）、（ｂ）、（ｃ）に示しているように床材６枚と段ボール間仕切り９枚、床材８枚と段ボール間仕切り１１枚、床材９枚と段ボール間仕切り１１枚とすることも可能である。図７では、生活スペースへの出入り口は左横上側に位置させているが、段ボール間仕切り１のセットの仕方で出入り口はどの位置にでも設定することが可能であることはいうまでもない。
【００４０】
また、出入り口にあたる段ボール間仕切りにおいては、接合部４は１８０゜折り返して自身の段ボール間仕切りの壁部１ａ及び１ｂの間に収納しておくようにする。そのため図７においては折り返した接合部４を点線で図示してもいる。
【００４１】
図７においては平面視で床材と段ボール間仕切りの枚数と設置について図示しており、接合部４を隣接する段ボール間仕切りにそれぞれ連接すれば床材１０にそれぞれぴったりと接する位置に段ボール間仕切りが位置することとなる。
【００４２】
次に、上記の段ボール間仕切り１と床材１０の所定枚数がセットになっていない場合で、予定区画の避難生活のスペースを連接することも可能である。
【００４３】
例えば図８（ａ）に示すように、床材１０を４枚のスペースを横方向に延長するように設置することが可能である。図では接合部４がどの位置にあるかを示すために、太い実線で接合部４の位置を示している。図中Ｘで示した段ボール間仕切り１の接合部４だけは、その段ボール間仕切り１の壁部１ａ及び１ｂ間に折り返す必要がある。
【００４４】
図８（ａ）の状態で１列になった生活スペースであれば、この列を複数設置すると、１つのスペースの出入り口は、他のスペースの壁に面することとなるため、他のスペースに避難して生活している人の視線などが余り気にならない。
【００４５】
そして、図８（ｂ）のように設置すると、２列の生活スペースを有する列の設置も可能となる。２列の生活スペースを設置する場合には、出入り口が向かい合わせにならないように設置する。
【００４６】
また、図９に示すように床材を厚みのある少し長めのシート状としても良い。床材は避難生活を強いられている避難者を癒すために畳状のものが好ましい。しかし、コスト的なことを考慮して、樹脂の表面を畳状に見える状態に印刷したり、型を付けたりして簡易的な畳マットや畳状シートとしても良い。上記の床材は、対向する１辺は段ボール間仕切りの幅寸法と同一であり、他方の対向する１辺は段ボール間仕切りの幅寸法の整数倍とし、図９に示した１例は、１：３の比とした場合の実施形態を例示している。
【００４７】
以上段ボール間仕切り１の連接については接合片４ａ等の嵌合は寸法的にはぴったりに設計した実施形態を説明しているが、数ミリから１０ミリ程度の余裕をみた嵌合の設計にしても良い。というのも、使用する段ボールの厚みによってはきっちりの設計であれば嵌合させるのに多少力がいる場合も発生することが懸念され、数ミリから１０ミリ程度余裕を持たせておいても、特に連接がずれたりすることはなく、少し段ボール間仕切り１同士が離れても接合部４で生活スペースの部分が外から見えるようなことにはならないからである。
【００４８】
また、さらに、図２に開示した面と図２で見えていない裏面の段ボール間仕切りの表面の色を変えておいても良い。避難生活では避難スペースの色を明るくしておくことも必要であり、又、図８（ａ）や図８（ｂ）のように設置した場合には、自分の生活するスペースがどこであるか隣と違う色で数を判別しやすいようにしておくことなどが可能となる。
図２で見えていない側の面が表面となる組立は、図１の勝手反対の状態となるだけであり、段ボール間仕切りの連接等は特に難しくないため説明を省略する。
【図面の簡単な説明】
【００４９】
【図１】段ボール間仕切りの組み立てた状態を説明する図である。
【図２】段ボール間仕切りの展開図である。
【図３】段ボール間仕切りの連接を説明する図である。
【図４】段ボール間仕切りの底板部の嵌合を説明する図である。
【図５】壁部に設けられた嵌合穴を説明する図である。
【図６】段ボール間仕切りと床材をセットした状態を説明する図である。
【図７】段ボール間仕切りと床材の設置を説明する図である。
【図８】スペースを連続した状態に段ボール間仕切りと床材を設置する状態を説明する図である。
【図９】床材がシート状の場合を説明する図である。（ａ）はシート状の床材であり、（ｂ）は設置した状態の１例を説明する図である。
【符号の説明】
【００５０】
１    段ボール間仕切り
１ａ，１ｂ  壁部
１ｃ  接続穴
１ｄ  嵌合穴
２    底板部
２ａ  係止片
２ｂ  嵌合部
３    立設部
３ａ  接合片
４    接合部
４ａ  接合片
１０    床材
１１    シート状床材
【図１】
2010255238.tif 000003
【図２】
2010255238.tif 000004
【図３】
2010255238.tif 000005
【図４】
2010255238.tif 000006
【図５】
2010255238.tif 000007
【図６】
2010255238.tif 000008
【図７】
2010255238.tif 000009
【図８】
2010255238.tif 000010
【図９】
2010255238.tif 000011